(57)【要約】      （修正有）【課題】鶏を鳥インフルエンザウイルスの感染から守る鶏舎を提供する。【解決手段】鶏舎１の気密を保ち、袋型フィルター付吸気扇２のフィルターに適度の殺菌液をかけ鶏舎内へ外気を取り込む。鶏舎内は適度の殺菌液で湿度を保ち、鳥インフルエンザウイルスの病原菌の飛散と感染防止策となり、又、鳥インフルエンザウイルスの感染源と思われている、殺菌液の臭いを嫌う自然界の小動物の侵入も防げる。鶏舎内の空気圧は袋型フィルター付吸気扇により気圧が高くなり排気弁型圧力窓３で気圧を保ち排気することで換気ができる。ドアー４を開て殺菌液の入ったパレット５に足を入れ出入りする時、外気圧と内気圧の気圧差により鶏舎内の空気は外へと漏れ出し、ドアーを閉めることで鳥インフルエンザウイルスの侵入を防止でき、鶏舎の鶏を鳥インフルエンザウイルスの感染病から守る。【選択図】図１
0003139417.tif 000002
【実用新案登録請求の範囲】
【請求項１】
機密を保てる鶏舎に、外気を取り込みながら殺菌除菌できる袋型フィルター付吸気扇と、殺菌液散布ノズルと、殺菌液回収受け皿と、排気弁型圧力窓と、ドアーと、足を殺菌するパレットの組み合わせにより、鶏を鳥インフルエンザウイルスの感染病の感染から守る、鶏舎。
【考案の詳細な説明】
【技術分野】
【０００１】  本考案は、機密を保てる鶏舎に、袋型フィルター付吸気扇と、殺菌液散布ノズルと、殺菌液回収受け皿と、排気弁型圧力窓と、ドアーと、殺菌液を入れ足を殺菌するパレットの組み合わせにより、鶏舎内へ外気を取り込み、気圧と湿度を保ち換気して、鶏を鳥インフルエンザウイルスの感染病から守る鶏舎に関する。
【背景技術】
【０００２】  近年、鶏の鳥インフルエンザウイルス感染病対策として鶏舎に野鳥を近付けないために防鳥ネットが張られている。
【考案の開示】
【考案が解決しようとする課題】
【０００３】  しかし、この対策法では鳥インフルエンザウイルスの病原菌を持つた野鳥が飛来した時、風向きしだいで、鶏が鳥インフルエンザウイルスの病原菌に空気感染してしまう。
又、地上では、鼬、野鼠、蛇など小動物が鶏舎内に入込みインフルエンザウイルスの病原菌を持ち込み、鶏を鳥インフルエンザウイルスの病原菌に感染させてしまう。【０００４】  この考案は、鶏を鳥インフルエンザウイルスの感染から守るために、鶏舎に袋型フィルター付吸気扇と、殺菌液散布ノズルと、殺菌液回収受け皿と、排気弁型圧力窓と、ドアーと、殺菌液を入れ足を殺菌するパレットの組み合わせにより、鳥インフルエンザウイルスの感染を減らす事の可能な、鶏舎を提供することを目的とする。
【課題を解決するための手段】
【０００５】  上記目的を達成するために、本考案の袋型フィルター付き吸気扇と、殺菌液散布ノズルと、殺菌液回収受け皿と、排気弁型圧力窓と、ドアーと、殺菌液を入れ足を殺菌するパレットの組み合わせにより、鶏を鳥インフルエンザウイルスの感染から守る鶏舎では、機密を保ち袋型フィルターに適度の殺菌液をかけ外気を鶏舎内へ取り込み、鶏舎内の空気を殺菌と除菌をする。【０００６】  袋型フィルター付き吸気扇で、鶏舎に外気を取り込むことで、鶏舎内の空気圧は高くなり、空気圧を保ち、排気弁型圧力窓により排気をすることで換気する。【０００７】  鶏舎内の空気圧を保つことで、鶏舎内へドアーを開けて殺菌液の入ったパレットに足を入れ、出入りする時、鶏舎内の空気は気圧の差により外側へ放出されて、ドアーを閉めることで鳥インフルエンザウイルスの進入を防止する。【０００８】  鶏舎内の空気は、殺菌液散布ノズルで適度の殺菌液をかけたフィルターを通過をしたことで、殺菌、除菌され湿度を保ち、病原菌の飛散と感染防止をする。【０００９】  袋型フィルターより、垂れ落ちる余分な殺菌液は、殺菌液受け皿で回収する。
【考案の効果】
【００１０】  本考案の、鶏を鳥インフルエンザウイルスの感染から守る鶏舎は、袋型フィルター付吸気扇のフィルターに殺菌液散布ノズルで適度の殺菌液をかけ、外気を鶏舎内へ取り込むことで鳥インフルエンザウイルスの病原菌を殺菌と除菌が出来るのである。【００１１】  袋型フィルター付吸気扇で鶏舎に外気を取り込むことで鶏舎内の空気圧は高くなり、排気弁型圧力窓で空気圧を保ちながら排気して換気が出来るのである。【００１２】  袋型フィルター付吸気扇で鶏舎に外気を取り込み、排気弁型圧力窓で空気圧が保たれることで、鶏舎内へドアーを開けて殺菌液の入ったパレットに足を入れ、殺菌して出入りする時、鶏舎内の空気は外側へ放出され病原菌は入り込めず、ドアーをすぐに閉めることで病原菌の侵入防止と鶏への鳥インフルエンザウイルス感染を防止出来るのである。【００１３】  鶏舎内の空気を、殺菌液散布ノズルで袋型フィルター付吸気扇のフィルターに適度の殺菌液をかけることで湿度が保たれ、鳥インフルエンザウイルスの飛散防止となり、殺菌液の臭いを嫌う自然界の小動物は鶏舎内へは入り込まず、鶏を鳥インフルエンザウィルスの感染から守ることが出来るのである。【００１４】  袋型フィルターより、垂れ落ちる余分な殺菌液は、殺菌液回収受け皿で回収できるのである。【００１５】  機密を保てる鶏舎と、袋型フィルター付吸気扇と、殺菌液散布ノズルと、殺菌液回収受け皿と、排気弁型圧力窓と、ドアーと、殺菌液の入ったパレットを組み合わせることで、鶏を鳥インフルエンザウイルスの感染病から守る鶏舎が整うのである。
【考案を実施するための最良の形態】
【００１６】  以下、本考案の実施形態に係る、鶏を鳥インフルエンザウイルスの感染病から守る鶏舎について図面を参照して説明する。
図１は、本実施形態に係わる鶏を鳥インフルエンザウイルスの感染から守る鶏舎全体構造を示す。図２はフィルター付き吸気扇、殺菌液散布ノズルと、殺菌液回収受け皿を示す。図３は排気弁型圧力窓を示す。【００１７】  図１、に示すように、鶏を鳥インフルエンザウイルスの感染病から守る鶏舎は、１鶏舎、２袋型フィルター付吸気扇、３排気弁型圧力窓、４ドアー、５殺菌液の入ったパレットを表している。【００１８】  図２は、袋型フィルター付吸気扇に、６殺菌液散布ノズル、７殺菌液回収受け皿を表し、鶏を鳥インフルエンザウイルスの感染病から守る鶏舎は、袋型フィルター付き吸気扇で外気を取り込み、殺菌液散布ノズルで適度に殺菌液をかけたフィルターを通して、殺菌と除菌をして鶏舎内の空気圧を高める。【００１９】  袋型フィルター付き吸気扇により鶏舎内の空気は外気より気圧が高くなり、排気弁型圧力窓で圧力が保たれ排気され、換気ができる。【００２０】  ドアーを開け殺菌液の入ったパレットに足を入れ、殺菌して出入りする時、鶏舎内の空気は圧力により外側へ放出され病原菌は入り込めず、ドアーをすぐに閉めることで、病原菌の鶏舎内への進入を防止できる。【００２１】  鶏舎内の空気は袋型フィルター付き吸気扇により、適度の殺菌液をかけたフィルターを通過したことで、湿度が保たれ、殺菌、除菌され鳥インフルエンザウイルスの飛散と感染防止ができる。【００２２】  鶏舎内の適度の殺菌液かけられたフィルターを通過した空気の臭いにより、臭いを嫌う自然界の鳥インフルエンザウイルスの感染源と思われている小動物の進入を防止することができる。【００２３】  袋型フィルターより、垂れ落ちる余分な殺菌液は、殺菌液回収受け皿で回収することが出来る。【００２４】  上述べしたように、機密を保てる鶏舎に、袋型フィルター付吸気扇と、殺菌液散布ノズルと、殺菌液回収受け皿と、排気弁型圧力窓と、ドアーと、殺菌液を入れるパレットの組み合わせにより、鶏をインフルエンザウイルスの感染から守る鶏舎が整い安定した鶏舎の運営が出来る。
【図面の簡単な説明】
【００２５】
【図１】は、本考案に係わる鶏舎全体構造図である。
【図２】は、フィルター付き吸気扇に係わる図である。
【図３】は、圧力窓である。
【符号の説明】
【００２６】    １  鶏舎を示す。
２  フィルター付き吸気扇を示す。
３  排気弁型圧力窓を示す。
４  ドアーを示す。
５  殺菌液の入ったパレットを示す。
６  殺菌液散布ノズルを示す。
７  殺菌液回収受け皿を示す。
【図１】
0003139417.tif 000003
【図２】
0003139417.tif 000004
【図３】
0003139417.tif 000005
【手続補正書】
【提出日】平成19年9月7日(2007.9.7)
【手続補正１】
【補正対象書類名】実用新案登録請求の範囲
【補正対象項目名】全文
【補正方法】変更
【補正の内容】
【実用新案登録請求の範囲】
【請求項１】
気密を保てる鶏舎に、外気を取り込みながら殺菌除菌できる袋型フィルター付吸気扇と、殺菌液散布ノズルと、殺菌液回収受け皿と、排気弁型圧力窓と、ドアーと、足を殺菌するパレットの組み合わせにより、鶏を鳥インフルエンザウイルスの感染病の感染から守る、鶏舎。
【手続補正２】
【補正対象書類名】明細書
【補正の内容】
0003139417.tif 000006
0003139417.tif 000007
【手続補正書】
【提出日】平成19年11月9日(2007.11.9)
【手続補正１】
【補正対象書類名】手続補正書
【補正対象項目名】手続補正２
【補正方法】変更
【補正の内容】
【手続補正２】
【補正対象書類名】明細書
【補正対象項目名】０００１
【補正方法】変更
【補正の内容】
【０００１】  本考案は、気密を保てる鶏舎に、袋型フィルター付吸気扇と、殺菌液散布ノズルと、殺菌液回収受け皿と、排気弁型圧力窓と、ドアーと、殺菌液を入れ足を殺菌するパレットの組み合わせにより、鶏舎内に外気を取り込み、気圧と湿度を保ち換気して、鶏を鳥インフルエンザウイルスの感染病から守る鶏舎に関する。
【手続補正２】
【補正対象書類名】手続補正書
【補正対象項目名】手続補正２
【補正方法】変更
【補正の内容】
【手続補正３】
【補正対象書類名】明細書
【補正対象項目名】０００５
【補正方法】変更
【補正の内容】
【０００５】  上記目的を達成するために、本考案の袋型フィルター付吸気扇と、殺菌液散布ノズルと、殺菌液回収受け皿と、排気弁型圧力窓と、ドアーと、殺菌液を入れ足を殺菌するパレットの組み合わせにより、鶏を鳥インフルエンザウイルスの感染から守る鶏舎では、気密を保ち殺菌液散布ノズルで袋型フィルターに適度の殺菌液をかけ、外気を鶏舎内に取り込み、鶏舎内の空気を殺菌と除菌をする。
【手続補正３】
【補正対象書類名】手続補正書
【補正対象項目名】手続補正２
【補正方法】変更
【補正の内容】
【手続補正４】
【補正対象書類名】明細書
【補正対象項目名】００１５
【補正方法】変更
【補正の内容】
【００１５】  気密を保てる鶏舎と、袋型フィルター付吸気扇と、殺菌液散布ノズルと、殺菌液回収受け皿と、排気弁型圧力窓と、ドアーと、殺菌液の入ったパレットを組み合わせることで、鶏を鳥インフルエンザウイルスの感染病から守る鶏舎が整うのである。
【手続補正４】
【補正対象書類名】手続補正書
【補正対象項目名】手続補正２
【補正方法】変更
【補正の内容】
【手続補正５】
【補正対象書類名】明細書
【補正対象項目名】００２４
【補正方法】変更
【補正の内容】
【００２４】  上延べしたように、気密を保てる鶏舎に、袋型フィルター付吸気扇と、殺菌液散布ノズルと、殺菌液回収受け皿と、排気弁型圧力窓と、ドアーと、殺菌液を入れるパレットの組み合わせにより、鶏を鳥インフルエンザウイルスの感染から守る鶏舎が整い安心して鶏舎の運営が出来る。
【手続補正５】
【補正対象書類名】手続補正書
【補正対象項目名】手続補正２
【補正方法】変更
【補正の内容】
【手続補正６】
【補正対象書類名】明細書
【補正対象項目名】００２５
【補正方法】変更
【補正の内容】
【００２５】
【図１】は、本考案に係わる鶏舎全体構造図である。
【図２】は、フィルター付吸気扇に係わる図である。
【図３】は、排気弁型圧力窓図である。